(57)【要約】【課題】操作が容易で、混合物を混合させる作業を大幅に省力化し、一回の混合作業が終了した際の廃棄が容易な混合装置を提供する。【解決手段】少なくとも二以上の流動体を通過させることで、該流動体を混合するための複数の混合用通路、該混合用通路に流動体を流入させる流入口、及び前記混合用通路を通過した混合物を密封状態で貯留する混合物貯留部を有し、前記混合用通路を含む全体が押圧されて変形し、混合する流動体が混合用通路に沿って移動することで混合を行う混合容器と、該混合容器を収容する収容部と、対向する押圧部材を有し、該混合容器が該混合容器から引き出される際に、該押圧部材間を通過する該混合容器を押圧する押圧部と、を備える。前記収容部は、複数の前記混合容器であって、前記混合通路が連続する方向に連続するように混合容器の端部同士が切断可能に連結された複数の混合容器を収容する。【選択図】図４
2010125376.tif 000002
【特許請求の範囲】
【請求項１】
少なくとも二以上の流動体を通過させることで、これらの流動体を混合するための複数の混合用通路、該混合用通路に流動体を流入させる流入口、及び前記混合用通路を通過した混合物を密封状態で貯留する混合物貯留部を有し、前記混合用通路を含む全体が押圧されて変形し、混合する流動体が混合用通路に沿って移動することで混合を行う混合容器と、
前記混合容器を収容する収容部と、
前記収容部に収容されている混合容器が該収容部から引き出される際に、該混合容器を狭持して押圧する押圧部と、を備え、
前記収容部は、複数の前記混合容器であって、前記混合通路が連続する方向に連続するように混合容器の端部同士が切断可能に連結された複数の混合容器を収容する、混合装置。
【請求項２】
前記混合容器は、複数の混合容器のうち、最も前記押圧部寄りの混合容器の前記流入口側の端部が前記収容部の外部へ露出し、
前記収容部から露出する混合容器の流入口側の端部が引かれ、該混合容器が前記押圧部によって押圧されながら所定の距離移動することで、前記混合容器内の流動体が混合される、請求項１に記載の混合装置。
【請求項３】
前記混合物貯留部は、前記混合用通路の終端部に配置され、この混合物貯留部と混合用通路の間には混合物が混合物貯留部に向けて流れる流入通路が設けられ、混合物が流入し貯留された混合物貯留部は、その厚みが増加し、
前記所定の距離は、各混合容器の流入口側の端部から前記混合用通路を通過した混合物が密封状態で貯留される混合物貯留部までの距離である、請求項２に記載の混合装置。
【請求項４】
前記押圧部による前記混合容器に対する押圧を実行若しくは解除する押圧操作部を更に備える請求項１から請求項３のいずれか一に記載の混合装置。
【請求項５】
前記混合物貯留部は、前記混合用通路の終端部に配置され、この混合物貯留部と混合用通路の間には混合物が混合物貯留部に向けて流れる流入通路が設けられ、混合物が流入し貯留された混合物貯留部は、その厚みが増加して前記押圧部を通過しないことで、前記混合物貯留部が前記混合容器の移動を停止させる請求項１から請求項４のいずれか一に記載の混合装置。
【請求項６】
少なくとも二以上の流動体は、混合容器の前記流入口側に設けられた流動体貯留部にそれぞれ分離して封入され、この流動体貯留部を押圧することでそれぞれの流動体が前記流入口に流れ込む請求項１から請求項５のいずれか一に記載の混合装置。
【請求項７】
前記混合容器は、シート状であって、前記混合用通路が連続する方向に沿って複数の混合容器を切断可能に繋いで形成され、また、それぞれの混合容器は、前記流入通路が設けられた部分を切断することで前記混合用通路と前記混合物貯留部とが分離し、混合物が流入した前記混合物貯留部のみを取り出すことが可能である請求項３に記載の混合装置。
【請求項８】
前記混合容器は、柔軟な合成樹脂製として、混合すべき流動体が流入することでその断面積が拡大し、外部から混合用通路の流入口から混合用貯留部に向かって混合用通路を押圧することにより、通過する流動体を混合させるミキシングシートである請求項１から請求項７のいずれか一に記載の混合装置。
【請求項９】
少なくとも二以上の流動体を通過させることで、これらの流動体を混合するための複数
の混合用通路、該混合用通路に流動体を流入させる流入口、及び前記混合用通路を通過した混合物を密封状態で貯留する混合物貯留部を有し、前記混合用通路を含む全体が押圧されて変形し、混合する流動体が混合用通路に沿って移動することで混合を行う混合容器を収容する収容部と、
前記収容部に収容されている混合容器が該収容部から引き出される際に、該混合容器を狭持して押圧する押圧部と、を備え、
前記収容部は、複数の前記混合容器であって、前記混合通路が連続する方向に連続するように混合容器の端部同士が切断可能に連結された複数の混合容器を収容する、混合装置。
【請求項１０】
少なくとも二以上の流動体を通過させることで、これらの流動体を混合するための複数の混合用通路と、
前記複数の混合用通路に流動体を流入させる流入口と、
前記複数の混合用通路を通過した混合物を密封状態で貯留する混合物貯留部と、を備え、
前記混合用通路を含む全体が押圧されて変形し、混合する流動体が混合用通路に沿って移動することで混合を行い、
前記複数の混合用通路、前記流入口、前記混合物貯留部を備える混合容器を複数有し、前記混合通路が連続する方向に連続するように各混合容器の端部同士が切断可能に連結される混合容器。
【請求項１１】
前記混合物貯留部は、前記混合用通路の終端部に配置され、この混合物貯留部と混合用通路の間には混合物が混合物貯留部に向けて流れる流入通路が設けられ、混合物が流入し貯留された混合物貯留部は、その厚みが増加し、
前記混合容器はシート状であって、前記混合用通路が連続する方向に沿って複数の混合容器を切断可能に繋いで形成され、また、それぞれの混合容器は、前記流入通路が設けられた部分を切断することで前記混合用通路と前記混合物貯留部とが分離し、混合物が流入した前記混合物貯留部のみを取り出すことが可能である請求項１０に記載の混合容器。
【発明の詳細な説明】
【技術分野】
【０００１】
本発明は、複数の流動体を混合する混合装置及び混合容器に関し、特に、必要時に簡単な操作で迅速な混合が可能なものに関する。
【背景技術】
【０００２】
複数の液体等を混合するための器具や装置としては、例えば、特許文献１に記載のようなスタティックミキサがある。これは、右方向にねじられた羽根と、左方向にねじられた羽根とを交互に複数接合してなるスタティックミキサエレメントを、円筒形の管内に設置したものが用いられている。このような円筒形の管内を、混合しようとする複数の液体等が羽根によって仕切られた空間を通過することで所定の混合作用が生じる。
【０００３】
また、本出願人の出願に係る次のようなものがある（特許文献２参照）。この混合器具はミキシングシートであって、少なくとも二以上の薬剤を通過させることで、これらの薬剤を混合するための複数の混合用通路と、これらの混合用通路に薬剤を流入させる流入口と、前記混合用通路を通過した混合物を吐出する吐出口と、を備えた二以上の薬剤を混合するものである。
【０００４】
このようなミキシングシート内には薬剤充填袋の被混合物貯留部を設けて、この被混合物貯留部には二以上の薬剤収納袋を格納し、それぞれの薬剤充填袋は、薬剤を内包した状態で外部から加圧されることで一部が破断して開口可能であって、前記流入口は、前記被混合物貯留部と前記混合用通路とが連通するように設けられ、一部が破断して開口したときは、薬剤充填袋から流出した薬剤が前記流入口を経て混合用通路へ流入する。
【０００５】
したがって、被混合物をミキシングシート内を通過させることで、容易に複数の被混合筒を混合することができる。
【特許文献１】特開２００１−３５３４３１号公報
【特許文献２】特開２００７−２６８４４７号公報
【発明の開示】
【発明が解決しようとする課題】
【０００６】
上記のようなスタティックミキサでは、混合物が得られた場合に混合物の一部がスタティックミキサの管内に残存する問題がある。この残量が多いと、高価な薬剤等を少量混合する場合、例えば、歯科材料や接着剤等の混合では効率が悪くなるため、残存する混合物ができる限り減少するような改善が望まれる。
【０００７】
また、スタティックミキサエレメントのシリンダ型の格納容器は高圧に耐えるため、通常、堅固な構造となっている。しかし、所定の混合物を混合した後は、この混合物がさらに別の混合物へ混入することを避ける等の理由から再使用をせず、前記ミキサを廃棄しなければならない場合がある。そのような廃棄処分は、環境汚染等の種々の観点からできるだけ回避されるべきである。
【０００８】
さらに、被混合物の数、混合比率がミキサの構造に基づく制約を受け、例えば、被混合物は２つまで、混合比率は４種類まで、というような条件に拘束されることがある。
【０００９】
一方、ミキシングシートでは、混合用通路を混合物が通過することで、混合物の分割、合流が繰り返される等により混合される。このとき、ミキシングシートの外部から、混合物をヘラで押圧しながら混合用通路を通過させること、すなわち混合物を混合用通路の出
口方向に順次送ることは、多少の熟練が要求され、かつ、この作業による混合は面倒である。
【００１０】
また、複数のミキシングシートをローラ等を用いて押圧するには、この複数のミキシングシートをその都度ローラを備えた装置へ取り付ける作業が必要になる。
【００１１】
本発明は、上記のような事情に鑑みてされたものであり、操作が容易で、混合物を混合させる作業を大幅に省力化し、一回の混合作業が終了した際の廃棄が容易な混合装置を提供することを技術的課題とする。
【課題を解決するための手段】
【００１２】
本発明は、上記の課題を達成するために以下のような構成とした。すなわち、本発明に係る混合装置は、少なくとも二以上の流動体を通過させることで、これらの流動体を混合するための複数の混合用通路、該混合用通路に流動体を流入させる流入口、及び前記混合用通路を通過した混合物を密封状態で貯留する混合物貯留部を有し、前記混合用通路を含む全体が押圧されて変形し、混合する流動体が混合用通路に沿って移動することで混合を行う混合容器と、前記混合容器を収容する収容部と、前記収容部に収容されている混合容器が該収容部から引き出される際に、該混合容器を狭持して押圧する押圧部と、を備える。そして、前記収容部は、複数の前記混合容器であって、前記混合通路が連続する方向に連続するように混合容器の端部同士が切断可能に連結された複数の混合容器を収容する。
【００１３】
本発明に係る混合装置によれば、複数の被混合物を混合可能な混合容器を備えることで、種類の異なる被混合物を取り扱うべき混合作業を大幅に省力化することができる。その結果、混合した状態では長期保存ができない混合物を、必要な時に迅速、簡単に混合して使用することが可能である。また、連結された混合容器が収容部に収容されており、複数の混合容器を押圧する際に混合容器毎にその都度混合容器を装着するといった手間を省き、かつ連続的に混合することが可能となる。また、従来のスタティックミキサと比べて混合作業により生じる廃棄物の廃棄が容易であり、廃棄量も削減することができる。
【００１４】
混合容器によって混合される少なくとも二以上の流動体は、混合容器の流入口側に、流動体を貯留する流動体貯留部を設け、この流動体貯留部にそれぞれ分離して封入することができる。そして、この流動体貯留部を押圧することでそれぞれの流動体が前記流入口に流れ込むようにすることができる。流動体とは、シール剤、コーキング剤、接着剤、歯科材料等の二以上の混合物を指し、混合を目的とするものであれば特に限定されるものではない。そして、本発明に係る混合装置では、混合容器が複数連結された状態で収容部に収容されており、混合容器の装着の手間を省くと共に、連続して混合することができる。混合容器は、混合容器の流入口側の端部と他の混合容器の混合物貯留部側の端部とを接続すればよい。連結された複数の混合容器は、折り畳んで収容してもよく、巻回して収容してもよい。混合容器同士の連結は、混合容器同士の境目にミシン目等を設けて切断可能にすることが好ましいが、シール等の接続部材を用いて連結してもよい。切断可能に連結することで、混合作業の終了に伴い、使用した混合容器と連続している次の未使用の混合容器とを切り離すことができる。
【００１５】
混合容器は、シート状とし、柔軟な変形可能な素材で形成することが好ましい。これにより、連結された混合容器を折り畳んで、または、巻回することが可能となる。また、混合物貯留部は、混合用通路の終端部に配置され、この混合物貯留部と混合用通路の間には混合物が混合物貯留部に向けて流れる流入通路が設けられ、それぞれの混合容器は、流入通路を設けた部分を切断することで混合用通路と混合物貯留部とを分離し、混合物が流入した前記混合物貯留部のみを取り出すことが可能なように構成することがより好ましい。これにより、混合物が流入した前記混合物貯留部のみを取り出すことが可能となる。
【００１６】
そして、混合用通路は、柔軟な樹脂製として、混合すべき流動体が流入することでその断面積が拡大し、混合容器の外部より混合用通路の流入口から混合物貯留部に向かって混合用通路を押圧することにより、通過する流動体を混合させるものである。混合容器は、例えば、一の混合用通路と他の混合用通路とが分割、集合を繰り返すことにより、これらの混合用通路を通過する流動体の混合を実現させるものが使用できる。
【００１７】
本発明に係る混合装置では、少なくとも二以上の流動体が、前記混合容器の流入口側に設けた前記流動体貯留部にそれぞれ分離して封入されていて、この流動体貯留部を押圧することでそれぞれの流動体が前記流入口に流れ込むような構造とすることが好ましい。このようにすれば、混合しようとする複数の流動体を、混合の都度、混合容器の流入口から注入する手間が省略できる。
【００１８】
収容部は、予め連結されている混合容器を収容する。混合容器に収容されている混合容器は、内部から引き出される際に、押圧部によって押圧されることから、混合容器には、収容されている混合容器を内部から外部へ引き出すための開口部を有している必要がある。そして、このような開口部近傍に押圧部を設けることで、効率よく混合容器内の流動体を混合することが可能となる。押圧部は、対向する押圧部材によって構成することができる。押圧部材は、例えば回転ローラによって構成することが可能であるが、回転ローラは、対向する押圧部材のうち、一方のみを回転ローラとしてもよく、また、一方の押圧部材のみ回転ローラとしてもよい。
【００１９】
ここで、本発明に係る混合装置において、前記混合容器は、複数の混合容器のうち、最も前記押圧部寄りの混合容器の前記流入口側の端部が前記収容部の外部へ露出し、前記収容部から露出する混合容器の流入口側の端部が引かれ、該混合容器が前記押圧部によって押圧されながら所定の距離移動することで、前記混合容器内の流動体が混合されるようにしてもよい。
【００２０】
なお、前記混合物貯留部は、前記混合用通路の終端部に配置され、混合容器は、この混合物貯留部と混合用通路の間には混合物が混合物貯留部に向けて流れる流入通路が設けられる構成とすることができる。そして、混合物が流入し貯留された混合物貯留部は、その厚みが増加する。また、前記所定の距離は、各混合容器の流入口側の端部から前記混合用通路を通過した混合物が密封状態で貯留される混合物貯留部までの距離とすることができる。混合物貯留部は、混合物が流入するだけで、出口を持たない構造であるため、混合物が流入することで膨張し、その厚みが増す。押圧部によって流入口側から混合物貯留部へ向けて混合容器を順次押圧していくと、厚みが増した混合物貯留部において、混合容器の通過が妨げられる。混合容器の通過の妨げは、振動として使用者の手に伝達される。従って、本発明に係る混合装置によれば、使用者の熟練度に拘わらず、混合が終了したことを容易に確認することができる。なお、混合貯留部は、自身の厚みが増加することで混合容器の通過を妨げることから、換言すると、混合容器の移動を停止させるストッパ機能を有している。
【００２１】
また、本発明に係る混合装置は、前記押圧部による前記混合容器に対する押圧を実行若しくは解除する押圧操作部を更に備える構成とすることができる。これにより、押圧部による押圧の実行と解除を容易に行うことが可能となり、混合の作業性がより向上する。なお、混合操作部は、レバーやボタン等によって構成することができる。
【００２２】
なお、本発明は、上述した収容部及び押圧部を備える混合装置として特定することも可能である。すなわち、本発明は、少なくとも二以上の流動体を通過させることで、これらの流動体を混合するための複数の混合用通路、該混合用通路に流動体を流入させる流入口
、及び前記混合用通路を通過した混合物を密封状態で貯留する混合物貯留部を有し、前記混合用通路を含む全体が押圧されて変形し、混合する流動体が混合用通路に沿って移動することで混合を行う混合容器を収容する収容部と、前記収容部に収容されている混合容器が該混合容器から引き出される際に、該混合容器を狭持して押圧する押圧部と、を備え、前記収容部は、複数の前記混合容器であって、前記混合通路が連続する方向に連続するように混合容器の端部同士が切断可能に連結された複数の混合容器を収容する、混合装置である。
【００２３】
また、本発明は、上述した混合装置と共に使用可能な、混合容器として特定することもできる。すなわち、本発明は、少なくとも二以上の流動体を通過させることで、これらの流動体を混合するための複数の混合用通路と、前記複数の混合用通路に流動体を流入させる流入口と、前記複数の混合用通路を通過した混合物を密封状態で貯留する混合物貯留部と、を備え、前記混合用通路を含む全体が押圧されて変形し、混合する流動体が混合用通路に沿って移動することで混合を行い、前記複数の混合用通路、前記流入口、前記混合物貯留部を備える混合容器を複数有し、前記混合通路が連続する方向に連続するように各混合容器の端部同士が切断可能に連結される混合容器である。
【発明の効果】
【００２４】
本発明によれば、複数の被混合物を混合可能な混合容器を使用し、種類の異なる被混合物を取り扱うべき混合作業を大幅に省力化することができるので、混合した状態では長期保存ができない混合物を、必要な時に迅速、簡単に混合して使用することが可能である。また、混合作業により生じる廃棄物の廃棄が容易になる。
【発明を実施するための最良の形態】
【００２５】
図１は、本発明に係る混合装置の概略構造を示す図である。混合装置１は中空の箱体であり、図１では、その右上端に一対の円筒状の回転ローラ２ａ、２ｂが対向して設けられている。上側の回転ローラ２ｂには操作レバー５が取り付けられ、これを上下動させることで、ローラ２ａ、２ｂ同士が密着し又は離れるようになっている。この操作レバー５は、ローラ２ａ、２ｂが密着した状態の位置にあるときは、その作動がロックされている。しかし、混合装置１の側面に設けられたロック解除ボタン６（図２）を押圧操作することにより、上記のロック状態が解除されるので、操作レバー５を操作して密接しているローラ２ａ、２ｂを開くことができる。
【００２６】
図１に示すように、混合装置１の内部には、シート状に形成された複数のミキシングシート３（本発明の混合容器に相当する。）が収納されている。これらのミキシングシート３は柔軟な合成樹脂からなり、複数のミキシングシート３が連続して繋がり、かつ折り畳まれて混合装置１内に収納されている。
【００２７】
一方、図６に示されるように、各々のミキシングシート３には混合用通路４が設けられている。また、連続する各々のミキシングシート３、３の間には、容易に切り離し可能なようにミシン目７が設けてあり、ミキシングシート３、３は適宜、互いに切断可能となっている。さらに、ミキシングシート３の一端には、二つの被混合物貯留部８ａ、８ｂが設けられ、これらの被混合物貯留部８ａには被混合物Ａが、被混合物貯留部８ｂには被混合物Ｂがそれぞれ収納されている。これらの被混合物Ａ及びＢは、被混合物貯留部８ａ、８ｂが前記ローラ２ａ、２ｂにより先端から押圧されることで、流入通路１０ａ、１０ｂを経て混合用通路４に流入する。
【００２８】
また、ミキシングシート３の終端には、混合用通路４を通過した被混合物の吐出部９が設けられ、吐出部９側の端部には、この吐出部に連通して密閉された部屋である混合物貯留部２０が設けられる。この混合物貯留部２０は前記混合用通路４の吐出部９と、流入通
路３１を介して連通している。ミキシングシート３を、流入通路３１が設けられた部分に設けた切込み部３２から切断することで、前記混合用通路４と前記混合物貯留部２０とを分離することが可能である。
【００２９】
次に、図７に基づいてミキシングシート３の混合用通路４の一実施例の構造について説明する。なお、混合装置１に用いられるミキシングシート３は、既に本出願人によって開示されているミキシングシートに関する技術（例えば、特開２００７−２６８４４７号公報、国際公開第２００５／１０５２８０号パンフレット参照）を適宜用いることができる。従って、以下、ミキシングシート３について簡単に説明する。ミキシングシート３は、２種類の被混合物Ａ、Ｂを混合するもので、その全体が所定の力で押し潰すことが可能な軟質の熱可塑性樹脂を貼り合わせて形成されている。図７は、その分解図を示す。ミキシングシート３は、第１の流路を形成する第１外枠部材２１と第２の流路を形成する第２外枠部材２２と、これらの間の仕切り部材１５により形成される。第１外枠部材２１と仕切り部材１５、及び第２外枠部材２２と仕切り部材１５は、長手方向における両端部と中央の一部が結合されており、互いに結合されていない部分が被混合物Ａ、Ｂが流通する第１の流路および第２の流路となる。図７における、２１ａ、１５ａ、２２ａは結合箇所を示す。
【００３０】
第１の流路および第２の流路は、被混合物Ａ、Ｂが流入していない状態においては造形されず、ミキシングシート３はシート状である。そして、非混合物Ａ、Ｂが注入されると、互いの部材間の空間部は被混合物Ａ、Ｂによって膨らみ、混合用通路が形づくられる。被混合物Ａ、Ｂを流入後、被混合物貯留部８ａ、８ｂ側から吐出口９側にかけて、連続的に押圧力を加えることにより充分に混合された被混合物Ａ、Ｂを得ることができる。すなわち、ミキシングシート３を移動させながら、混合用通路４に沿って、上述した一対のローラ２ａ、２ｂにより混合用通路４を順次押圧することで被混合物Ａ、Ｂを混合することができる。
【００３１】
ミキシングシート３は、２種類のブロック１１及び１２を複数直列に接続してなる構造である。各ブロック１１及び１２の内部には、それぞれ混合用の変形通路１３、１３ｄ、１４、１４ｄ、１６、１６ｄ、１７、１７ｄが形成されている。前記第１外枠部材２１と仕切り部材１５との間に形成された変形通路１３、１３ｄ、１４、１４ｄと、第２外枠部材２２と仕切り部材１５との間に形成された変形通路１６、１６ｄ、１７、１７ｄは、仕切り部材１５の穴部１５ｃによって分岐、合流する。
【００３２】
ブロック１１の変形通路１３および１４は、各々Ｘ方向に長い半円形の入口部１３ｂ、１４ｂを有し、これらの入口部１３ｂ、１４ｂを重ねて結合させて一つの入口を形成している。また、出口部１１ｂは、変形通路１３、１３ｄ、１４、１４ｄが合流し、入口部１３ｂの略２倍の断面積を有する。また、変形通路１３、１４は、その断面形状が連続的に変化し、中間部分においてそれぞれ入口部１３ｂ、１４ｂの略半分の断面積を有するように形成されている。
【００３３】
前記入口部１３ｂ、１４ｂから中間部分までは、変形通路１３、１４との間には仕切り部材１５により、２つの変形通路１３、１４が分割されている。また、中間部分から出口部１１ｂまでの間においては、変形通路１３、１４との間の仕切り部材１５に穴部１５ｃが形成されている。中間部分から出口部１１ｂまでの間は、変形通路１３、１３ｄ、１４、１４ｄが連通するように形成されている。
【００３４】
上記通路ブロック１１と接続されている通路ブロック１２は、通路ブロック１１と同様に４つの変形通路を有しており、ブロック１１の変形通路を変形通路の幅方向（紙面左右方向）において逆に配置したものである。ブロック１１とブロック１２の接続部分では、
上流側のブロック１１における変形通路１３、１３ｄが下流側のブロック１２における変形通路１６に連通しており、ブロック１１の変形通路１４、１４ｄがブロック１２の変形通路１７に連通している。このように、各変形通路が断面形状を異ならせつつ、分岐合流を繰り返すため、通過する被混合物に分割、集合を作用させて混合することができる。すなわち、二種類の被混合物Ａ、Ｂは実質的に集合および分割される。換言すると、ミキシングシート３は、２のＮ乗の理論で層を形成し、ブロック１１及びブロック１２の段数が多くなるほど、被混合物Ａ、Ｂの分割、集合の回数が多くなり、規則的に効率よく混合することが可能となる。
【００３５】
上記のような混合用通路４を備えたミキシングシート３は、混合装置１内に収納されているが、図３に示すように、ローラ２ａ、２ｂを開いてその一端をローラ間を挿通させて一端を外部に引き出す。上述のように、ミキシングシート３の一端に近接した箇所に、それぞれ別個に隔離して被混合物Ａ、Ｂが収納されているが、図４のように、このローラ２ａ、２ｂに、膨張して厚みのある被混合物貯留部８ａ、８ｂが当接すると、内部の被混合物Ａ、Ｂが共に押圧されると同時に、矢印Ａ方向（図１）に移動させられる。このシート状のミキシングシート３を混合装置１から引き出す動作を継続すれば、被混合物Ａ、Ｂが混合通路４内を通過するので、これらは分割・合流を繰り返して混合される。
【００３６】
このようにして、被混合物Ａ、Ｂは、前記混合用通路４の終端に配置された混合物貯留部２０に向かって流れ、流入通路３１を通過して混合物貯留部２０に流入する。この混合物貯留部２０は密閉されているので、被混合物Ａ、Ｂが貯留されると、その厚みが増加して前記対向するローラ２ａ、２ｂ間を通過できなくなる。したがって、前記混合物貯留部２０の膨張がミキシングシート３の引き出しを停止させるストッパとなる。
【００３７】
上記のように、前記ストッパの作用によってミキシングシート３の引き出し移動ができなくなったら、混合動作の終了となる。この場合は、図５に示すように、操作レバー５を操作し、ローラ２ａ、２ｂ間の間隔を広げて、混合物貯留部２０と共にミキシングシート３をさらに引き出し、ミキシングシート３の終端をカットして、このミキシングシート３を切り離す。さらに、このミキシングシート３の混合用通路４を、上記したように分離することで、混合物が流入した混合物貯留部２０のみを得ることが可能となる。このとき、流入通路３１と混合物貯留部２０の境界部に逆止弁３３を設けることで、混合物貯留部２０内の混合物Ａ、Ｂが外部に漏出しないようにできる。なお、混合物貯留部２０と共にミキシングシート３をさらに引き出してミキシングシート３を切り離したときは、これに連なる未使用のミキシングシート３の先端をローラ２ａ、２ｂの外側に出し、再度ローラ２ａ、２ｂを閉じれば、次の使用の準備が完了する。つまり、改めてミキシングシート３を混合装置１内に収納するといった作業を行うことなく、連続的に次のミキシングシート３内の被混合物Ａ、Ｂを混合することができる。
【００３８】
上記のようにして得られた混合物貯留部２０は、混合した状態では長期保存ができない混合物を、必要な時に迅速、簡単に混合し、使用一回の使用に適した量が収納されたものとなる。また、確実に混合用通路を均一に押圧することができるので、手指やスタティックミキサによって混合物を絞り出す場合に比べ、混合通路に残る混合物の量が減少する。そのため、高価な歯科材料等の混合に適している。さらに、手指等で直接ミキシングシートを押圧して混合物を絞り出す場合に比べ、作業に習熟する必要がなく、何人も安定した混合作業を行える利点がある。
【００３９】
なお、以上本発明の好適な実施形態を説明したが、本発明に係る混合装置はこれらに限定されるものではない。例えば、上記実施形態においては、ミキシングシート３同士の間にミシン目を設けることで、ミキシングシート３の切断を可能とした。但し、このような態様に限定されるものではなく、例えば、テープといった接続部材を用いてミキシングシ
ート３同士を連結するようにしてもよい。また、本実施形態では、操作レバー５によってローラ２ａ、２ｂ同士が密着し又は離れるように構成され、かつロック解除ボタン６によってローラ２ａ、２ｂ同士が密着したロック状態を解除するよう構成されていた。但し、このような態様に限定されるものではなく、ローラ２ａ、２ｂがミキシングシート３を押圧可能であればよく、例えば、ローラ２ａ、２ｂ直接手で把持することでミキシングシート３を押圧するといったより簡易な構成としてもよい。
【図面の簡単な説明】
【００４０】
【図１】本発明に係る混合装置の概略構造を示す図である。
【図２】本発明に係る混合装置の全体斜視図である。
【図３】ローラを開き、ミキシングシートを引き出す状態を示す図である。
【図４】ミキシングシートを引き出し、混合が終了した状態を示す図である。
【図５】混合が終了したミキシングシートを取り出した状態を示す図である。
【図６】ミキシングシートの構造を示す図である。
【図７】混合用通路の構造を示す分解図である。
【符号の説明】
【００４１】
１  混合装置
２ａ、２ｂ  ローラ
３  ミキシングシート
４  混合用装置
５  操作レバー
６  解除ボタン
７  ミシン目
８ａ、８ｂ  被混合物貯留部
９  吐出部
１０  流入口
１１、１２  ブロック
１３、１４、１６、１７  変形通路
１５  仕切り部材
２０  混合物貯留部
３１  流入通路
３２  切込み部
３３  逆止弁
【図１】
2010125376.tif 000003
【図２】
2010125376.tif 000004
【図３】
2010125376.tif 000005
【図４】
2010125376.tif 000006
【図５】
2010125376.tif 000007
【図６】
2010125376.tif 000008
【図７】
2010125376.tif 000009